(57)【特許請求の範囲】
【請求項１】
入射角度に応じて進行方向を変更して光を透過させる光偏向部材と、
前記光偏向部材に対向して配置されたブラインドと、
を備え、
前記光偏向部材は、第１領域と、当該第１領域よりも屈折率が小さい第２領域と、を備え、
前記第１領域と前記第２領域との境界には、反射機能面が形成され、
前記第１領域と前記第２領域とが延びる方向であって、前記光偏向部材のパネル面と平行な方向を第１方向とし、前記第１領域と前記第２領域とが交互に繰り返し配列される方向であって、前記光偏向部材のパネル面と平行であり、かつ、前記第１方向と非平行な方向を第２方向とするとき、前記反射機能面の入光側の部分は、前記反射機能面の出光側の部分よりも、前記光偏向部材への法線方向に対してなす角度が大きくなるように傾斜しており、
前記ブラインドは、
前記光偏向部材のパネル面に沿った配列方向に配列された複数のスラットと、
前記スラットの向きを変更可能に支持して、前記光偏向部材にて進行方向を調整された光を隣り合うスラットの間に選択的に通過させる支持手段と、
利用者からの操作により前記支持手段を駆動させる駆動手段と、
を有し、
前記光偏向部材への光の入射角度に応じて、前記駆動手段を操作すべき情報を知らせる知覚手段が設けられている、光制御具。
【請求項２】
前記駆動手段は、自身の移動量に応じて前記スラットの向きを操作する操作要素を含み、
前記知覚手段は、前記光偏向部材への光の入射角度に応じて前記操作要素を移動させるべき情報を知らせるようになっている、請求項１に記載の光制御具。
【請求項３】
前記操作要素は、各調整位置にて保持されるようになっていて、
前記知覚手段は、前記操作要素を各調整位置まで移動させるためのマークを含んでいる、請求項２に記載の光制御具。
【請求項４】
入射角度に応じて進行方向を変更して光を透過させる光偏向部材と、
前記光偏向部材に対向して配置されたブラインドと、
を備え、
前記ブラインドは、
前記光偏向部材のパネル面に沿った配列方向に配列された複数のスラットと、
前記スラットの向きを変更可能に支持して、前記光偏向部材にて進行方向を調整された光を隣り合うスラットの間に選択的に通過させる支持手段と、
利用者からの操作により前記支持手段を駆動させる駆動手段と、
を有し、
前記光偏向部材への光の入射角度に応じて、前記駆動手段を操作すべき情報を知らせる知覚手段が設けられており、
前記駆動手段は、自身の移動量に応じて前記スラットの向きを操作する操作要素を含み、
前記知覚手段は、前記光偏向部材への光の入射角度に応じて前記操作要素を移動させるべき情報を知らせるようになっており、かつ、前記操作要素を各調整位置まで移動させるためのマークを含んでおり、
前記操作要素は、前記各調整位置にて保持されるようになっており、
前記マークは、前記操作要素の移動方向に沿って間隔を空けて配置された複数のマーク要素を含んでいる、光制御具。
【請求項５】
入射角度に応じて進行方向を変更して光を透過させる光偏向部材と、
前記光偏向部材に対向して配置されたブラインドと、
を備え、
前記ブラインドは、
前記光偏向部材のパネル面に沿った配列方向に配列された複数のスラットと、
前記スラットの向きを変更可能に支持して、前記光偏向部材にて進行方向を調整された光を隣り合うスラットの間に選択的に通過させる支持手段と、
利用者からの操作により前記支持手段を駆動させる駆動手段と、
前記スラットの長手方向における端部付近に、前記スラットの配列方向に沿って延びる保護バーと、を有し、
前記光偏向部材への光の入射角度に応じて、前記駆動手段を操作すべき情報を知らせる知覚手段が設けられており、
前記知覚手段は、前記保護バーに印されたマークを含み、
前記マークは、前記スラットの長手方向からみたときに、当該スラットが設定されるべき配置を示す、光制御具。
【請求項６】
前記駆動手段は、自身の移動量に応じて前記スラットの向きを操作する操作要素を含み、
前記知覚手段は、前記光偏向部材への光の入射角度に応じて前記操作要素を移動させるべき情報を知らせるようになっている、請求項５に記載の光制御具。
【請求項７】
前記スラットの向きを取得して表示する向き表示手段をさらに備える、請求項１乃至６のいずれか一項に記載の光制御具。
【発明の詳細な説明】
【技術分野】
【０００１】
本発明は、入射角度に応じて進行方向を調整して光を透過させる光制御具に関する。
【背景技術】
【０００２】
入射角度に応じた偏向機能を示す光偏向部材の一例が、例えば特許文献１に開示されている。特許文献１に開示された光偏向部材には、屈折率の異なる２つのストライプ状の領域が鉛直方向に交互に配列されている。隣り合う２つのストライプ状の領域の間に屈折率差をもつ界面が形成される。この屈折率差をもつ界面にて屋内への直達光となるべき光を反射して跳ね上げることにより、直達光が屋内へ到達することを抑制しながら、取り込んだ光を照明光として利用することができる。
【先行技術文献】
【特許文献】
【０００３】
【特許文献１】特開２０１２−２２４９７５号公報
【発明の概要】
【発明が解決しようとする課題】
【０００４】
昨今では、光偏向部材の採光特性に加えて、隠蔽機能、遮光機能さらには調光機能を付与する工夫も求められている。この点に対処すべく、光偏向部材が貼り付けられた窓に、さらにブラインドを設置する技術が考えられる。ブラインドのスラットを閉じることで、屋外から屋内が観察されること及び屋内に採り込む光を遮光することが可能となる。さらに、スラットの角度を調整することで、屋内に採り込む光の光量を調整することも可能となる。
【０００５】
ところで、窓に入射する太陽光は、季節や時間帯に応じて入射方向が変化し、これに応じて、光偏向部材を透過してブラインドに到達する光の進行方向も季節や時間帯に応じて変化する。このため、屋内に採り込む光の光量を安定して維持するためには、季節や時間帯に応じてスラットの角度を調整する必要が生じる。しかしながら、季節や時間帯に応じて調整すべきスラットの角度は、光偏向部材の偏向特性に依存し、容易には特定することができない。
【０００６】
本発明は、このような点を考慮してなされたものであり、光偏向部材への入射角度が変化しても、スラットの向きを容易に調整可能な光制御具を提供することを目的とする。
【０００７】
本発明による光制御具は、入射角度に応じて進行方向を変更して光を透過させる光偏  向部材と、前記光偏向部材に対向して配置されたブラインドと、を備え、前記光偏向部 材は、第１領域と、当該第１領域よりも屈折率が小さい第２領域と、を備え、前記第１ 領域と前記第２領域との境界には、反射機能面が形成され、前記第１領域と前記第２領 域とが延びる方向であって、前記光偏向部材のパネル面と平行な方向を第１方向とし、 前記第１領域と前記第２領域とが交互に繰り返し配列される方向であって、前記光偏向 部材のパネル面と平行であり、かつ、前記第１方向と非平行な方向を第２方向とすると き、前記反射機能面の入光側の部分は、前記反射機能面の出光側の部分よりも、前記光 偏向部材への法線方向に対してなす角度が大きくなるように傾斜しており、前記ブライ  ンドは、前記光偏向部材のパネル面に沿った配列方向に配列された複数のスラットと、  前記スラットの向きを変更可能に支持して、前記光偏向部材にて進行方向を調整された  光を隣り合うスラットの間に選択的に通過させる支持手段と、利用者からの操作により  前記支持手段を駆動させる駆動手段と、を有し、前記光偏向部材への光の入射角度に応  じて、前記駆動手段を操作すべき情報を知らせる知覚手段が設けられている。
【０００８】
本発明による光制御具において、前記駆動手段は、自身の移動量に応じて前記スラットの向きを操作する操作要素を含み、前記知覚手段は、前記光偏向部材への光の入射角度に応じて前記操作要素を移動させるべき情報を知らせるようになっていてもよい。
【０００９】
本発明による光制御具において、前記操作要素は、各調整位置にて保持されるようになっていて、前記知覚手段は、前記操作要素を各調整位置まで移動させるためのマークを含んでいてもよい。
【００１０】
本発明による光制御具において、前記マークは、前記操作要素の移動方向に沿って間隔を空けて配置された複数のマーク要素を含んでいてもよい。
【００１１】
本発明による光制御具において、前記ブラインドは、前記スラットの長手方向における端部付近に、前記スラットの配列方向に沿って延びる保護バーをさらに有し、前記知覚手段は、前記保護バーに印されたマークを含み、前記マークは、前記スラットの長手方向からみたときに、当該スラットが設定されるべき配置を示してもよい。
【００１２】
本発明による光制御具において、前記スラットの向きを取得して表示する向き表示手段をさらに備えてもよい。
【００１３】
本発明による光制御具において、各スラットは、前記一軸方向と非平行であるとともに前記光偏向部材のパネル面に沿った他軸方向に延びてもよい。
【００１４】
本発明による光制御具において、前記支持手段は、前記他軸方向と平行な軸線を中心として回動可能に前記スラットを支持してもよい。
【発明の効果】
【００１５】
本発明によれば、光偏向部材への光の入射角度に応じて駆動手段を操作すべき情報を、知覚手段から得ることができるため、光偏向部材への入射角度が変化しても、スラットの向きを容易に調整することが可能となる。
【図面の簡単な説明】
【００１６】
【図１】本発明の一実施の形態による光制御具の一例を示す分解斜視図。
【図２】図１に示す光制御具の縦断面図。
【図３】図１に示す線Ｖ−Ｖに沿ったブラインドの断面を示す断面図。
【図４】図１に示す矢印Ａからブラインドをみたときの側面図。
【図５】図１に示す線Ｖ−Ｖに沿ったブラインドの断面を示す断面図。
【図６Ａ】図４に対応する図であって、操作要素を朝夕用の調整位置に合わせたときの状態を示す側面図。
【図６Ｂ】図５に対応する図であって、操作要素を朝夕用の調整位置に合わせたときの状態を示す断面図。
【図６Ｃ】図２に対応する図であって、操作要素を朝夕用の調整位置に合わせたときの状態を示す縦断面図。
【図７Ａ】図４に対応する図であって、操作要素を真昼用の調整位置に合わせたときの状態を示す側面図。
【図７Ｂ】図５に対応する図であって、操作要素を真昼用の調整位置に合わせたときの状態を示す断面図。
【図７Ｃ】図２に対応する図であって、操作要素を真昼用の調整位置に合わせたときの状態を示す縦断面図。
【図８Ａ】図４に対応する図であって、操作要素を日中用の調整位置に合わせたときの状態を示す側面図。
【図８Ｂ】図５に対応する図であって、操作要素を日中用の調整位置に合わせたときの状態を示す断面図。
【図８Ｃ】図２に対応する図であって、操作要素を日中用の調整位置に合わせたときの状態を示す縦断面図。
【図９Ａ】図４に対応する図であって、操作要素を遮光用の調整位置に合わせたときの状態を示す側面図。
【図９Ｂ】図５に対応する図であって、操作要素を遮光用の調整位置に合わせたときの状態を示す断面図。
【図９Ｃ】図２に対応する図であって、操作要素を遮光用の調整位置に合わせたときの状態を示す縦断面図。
【図１０】図５に対応する図であって、知覚手段の一変形例を示す断面図。
【図１１】図１に対応する図であって、操作要素の変形例を示す斜視図。
【図１２】図１１に示す操作要素を拡大して示す斜視図。
【図１３】図１に対応する図であって、知覚手段のさらに別の変形例を示す斜視図。
【図１４】図１３に示す矢印からブラインドをみたときの側面図。
【図１５】図２に対応する図であって、光偏向パネルの一変形例を示す縦断面図。
【図１６】図２に対応する図であって、光偏向パネルの別の変形例を示す縦断面図。
【発明を実施するための形態】
【００１７】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１８】
なお、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００１９】
さらに、「パネル面」とは、対象となるパネル状の部材を全体的かつ大局的に見た場合において対象となる板状部材の平面方向と一致する面のことを指す。また、パネル状の部材の法線方向とは、当該パネル状の部材のパネル面への法線方向を意味する。
【００２０】
図１〜図９Ｃは、本発明による一実施の形態を説明するための図である。このうち図１及び図２は、光制御具１を示す図であり、図３乃至図５は、光制御具１の構成要素を説明するための図であり、図６Ａ乃至図９Ｃは、光制御具１の作用を説明するための図である。
【００２１】
図１及び図２に示す光制御具１は、入射角度θ１〜θ３に応じて進行方向を変更して光Ｌ２１〜Ｌ２３を透過させる光偏向部材２と、光偏向パネル２に対向して配置されたブラインド４と、を含む。光制御具１には、知覚手段７０（図４参照）が設けられている。知覚手段７０は、光偏向部材２への光Ｌ２１〜Ｌ２３の入射角度θ１〜θ３に応じて駆動手段６０を操作すべき情報を知らせる。知覚手段７０が設けられていることにより、光偏向部材２への光Ｌ２１〜Ｌ２３の入射角度θ１〜θ３の変化に応じて、スラット４０の向きを容易に調整することが可能となる。
【００２２】
先ず、光偏向部材２について説明する。光偏向部材２は、パネル状の光偏向パネル２からなる。図１及び図２に示すように、屋外Ｓ１と屋内Ｓ２とを区画する建物１００の壁１０１に、開口部１０２が設けられていて、この開口部１０２を覆うように光偏向パネル２が設置されている。とりわけ、図１及び図２に示す光偏向パネル２は、屋内Ｓ２への直達光となるべき外光Ｌ２１、Ｌ２２を反射して跳ね上げる。これにより、直達光が屋内Ｓ２へ到達することを抑制しながら、取り込んだ外光Ｌ２１、Ｌ２２を照明光として利用することができる。また、外光を照明光として利用することから、照明に必要なエネルギーを節約することができ、省エネルギー及びＣＯ２の削減を図ることが可能となる。
【００２３】
図１に示すように、光偏向パネル２は、窓枠３に保持されている。図１に示す例では、光偏向パネル２は、窓枠３に設けられた溝（不図示）に挿入され、それらの周縁が窓枠３に覆われている。
【００２４】
図２は、図１に示す光制御具１の縦断面である。図２に示すように、光偏向パネル２は、透明窓材３１と、透明窓材３１に積層された偏向シート２０と、を有している。偏向シート２０は、接合層３２を介して透明窓材３１に貼り付けられている。
【００２５】
偏向シート２０は、入射角度θ１〜θ３に応じて進行方向を調整して光Ｌ２１〜Ｌ２３を透過させる機能をもつ。図２に示すように、偏向シート２０は、光偏向パネル２のパネル面内を延びる一軸方向ｄ１に沿って、交互に繰り返し並べられた複数の第１領域２１及び複数の第２領域２２を有している。各第１領域２１及び各第２領域２２は、光偏向窓パネル２のパネル面と平行で一軸方向ｄ１と非平行な他軸方向ｄ２（図１参照）に延びている。本実施の形態では、第１領域２１及び第２領域２２の長手方向となる他軸方向ｄ２は、一軸方向ｄ１に直交している。図示する例では、一軸方向ｄ１は、鉛直方向と平行になっていて、他軸方向ｄ２は、水平方向と平行になっている。
【００２６】
また、偏向シート２０は、第１領域２１及び第２領域２２に積層されたシート状のランド部２３をさらに含んでいる。このランド部２３は、第２領域２２と一体的に形成されており、第２領域２２とともに本体部２４を形成している。言い換えると、偏向シート２０は、他軸方向ｄ２に平行な長手方向をもつ複数の溝２４ａを一軸方向ｄ１に並べて形成された本体部２４を有し、本体部２４の複数の溝２４ａ内にそれぞれ第２領域２２が配置されている。そして、本体部２４のうちの隣り合う溝２４ａの間の部分が、第１領域２１を画定している。
【００２７】
本実施の形態において、第１領域２１乃至本体部２４をなす樹脂材料は、第２領域２２をなす樹脂材料よりも屈折率の大きい材料からなる。このため、第１領域２１と第２領域２２との境界に、屈折率差をもつ反射機能面２５が形成されている。上述のように、複数の第１領域２１と複数の第２領域２２とは、一軸方向ｄ１に交互に繰り返し配列されている。したがって、複数の反射機能面２５は、一軸方向ｄ１に沿って配列されることになる。本明細書でいう反射機能面２５とは、光偏向窓パネル２０に取り込まれることが意図された光に対して全反射作用を及ぼすことが期待された面をいう。典型的には、反射機能面２５は、光偏向窓パネル２０の法線方向ｎｄに対して一側に傾斜した方向から入射する光Ｌ２１、Ｌ２２の少なくとも一部を反射させて、法線方向ｎｄに対して一側に傾斜した方向に向かうように出射させる、あるいは、法線方向ｎｄに対してなす角度が小さくなるようにして当該法線方向ｎｄに対して他側に傾斜した方向に向かうように出射させるようになっている。本実施の形態において、反射機能面２５の配列方向は、鉛直方向に一致し、鉛直方向における上方（紙面の上方）から降り注ぐ太陽光Ｌ２１、Ｌ２２を反射機能面２５で反射させることが意図されている。したがって、本実施の形態では、第１領域２１と、当該第１領域２１と鉛直方向における下側（紙面における下側）で隣接する第２領域２２との境界が反射機能面２５をなす。一例として、反射機能面２５のピッチ、つまり隣り合う反射機能面２５の間隔は、２０μｍ〜１０００μｍ程度に設定される。
【００２８】
図２に示す反射機能面２５によれば、偏向シート２０への入射角度θ１、θ２が大きい光Ｌ２１、Ｌ２２を反射機能面２５で反射して屋内Ｓ２の天井に向かわせることができる。一方、偏向シート２０への入射角度θ３が小さい光Ｌ２３は、反射機能面２５に入射することなく進行方向を維持したまま本体部２４内を透過する。すなわち、反射機能面２５を含む偏向シート２０によれば、入射角度θ１〜θ３に応じて進行方向を調整して光Ｌ２１〜Ｌ２３を透過させることができるため、直達光の到達を防止しながら室内Ｓ１に光Ｌ２１〜Ｌ２３を有効に取り込むことが可能となる。なお、偏向シート２０への入射角度θ１〜θ３とは、偏向シート２０に入射する光Ｌ２１〜Ｌ２３が偏向シート２０への法線方向に対してなす角度をいう。
【００２９】
とりわけ、図２に示す反射機能面２５は、鉛直方向における下方（紙面における下方）に凸となるように屈曲している。すなわち、反射機能面２５の入光側の部分２５ａは、反射機能面２５の出光側の部分２５ｂよりも、偏向シート２０への法線方向ｎｄに対してなす角度が大きくなるように傾斜している。このような形態によれば、光偏向パネル２への入射角度θ１がある程度まで大きい光Ｌ２１は、出光側の部分２５ｂで反射させられて室内の天井に向かわせられ得る。ただし、光Ｌ２４が偏向シート２０に入射する入射角度θ２が相当に大きくなってしまうと、出光側の部分２５ｂへの入射角度が出光側の部分２５ｂの全反射臨界角よりも小さくなってしまい、当該出光側の部分２５ｂを透過していってしまう。そこで、反射機能面２５の入光側の部分２５ａを出光側の部分２５ｂよりも大きく傾斜させることで、光偏向パネル２への入射角度θ２が相当に大きい光Ｌ２２を入光側の部分２５ａで全反射させることができる。したがって、反射機能面２５の入光側の部分２５ａを出光側の部分２５ｂよりも大きく傾斜させることで、優れた防眩機能を発揮することに寄与する。
【００３０】
このような第１領域２１及びランド部２３は、同一の材料を用いて一体的に形成され得る。第１領域２１及びランド部２３をなす材料として、例えば、樹脂材料、とりわけ電離放射線の照射により硬化する電離放射線硬化性樹脂材料を用いることができる。電離放射線硬化性樹脂としては、紫外線硬化性樹脂、電子線硬化性樹脂、可視光線硬化性樹脂、近赤外線硬化性樹脂等が挙げられる。一方、第１領域２１よりも屈折率の低い材料からなる第２領域２２としては、例えば、電離放射線により硬化する特徴を有したウレタンアクリレート等の硬化性材料を用いることができる。
【００３１】
さて、上述のように、このような偏向シート２０を、接合層３２を介して透明窓材３１に接合することにより、光偏向パネル２が得られる。この透明窓材３１として、従来から用いられてきたそれ自体既知の窓材を用いることができ、例えば、ガラス、アクリル樹脂、ポリエチレンテレフタレート樹脂（ＰＥＴ）、ポリカーボネート樹脂（ＰＣ）が挙げられる。一方、接合層３２としては、例えば、アクリル系、ウレタン系、シリコン系、ゴム系等の粘着剤からなる層を用いることができる。
【００３２】
次に、光偏向パネル２に対向して配置されたブラインド４について説明する。図１に示すように、ブラインド４は、配列方向ｄ３に配列された複数のスラット４０と、スラット４０の向きを変更可能に支持する支持手段５０と、利用者からの操作により支持手段５０を駆動させる駆動手段６０と、を有している。
【００３３】
各スラット４０は、光偏向窓パネル２のパネル面と平行で配列方向ｄ３と非平行な方向に長手方向ｄ４をもつ。本実施の形態において、複数のスラット４０の配列方向ｄ３は、鉛直方向と平行な一軸方向ｄ１と平行になっていて、各スラット４０の長手方向ｄ４は、水平方向と平行な他軸方向ｄ２と平行になっている。
【００３４】
図２に示す例では、各スラット４０は、長尺状の平板部材からなる。もっとも、各スラット４０は、必ずしも平らである必要はなく、若干湾曲した長尺状の薄板からなってもよい。
【００３５】
さて、図１に戻って、各スラット４０は、支持手段５０によって向きを変更可能に支持されている。本実施の形態の支持手段５０は、一対のラダーコード５１を含んでいる。
【００３６】
図３に、ラダーコード５１が設けられた位置でのブラインド４の断面を示す。図３に示すように、各ラダーコード５１は、鉛直方向と平行な配列方向ｄ３に沿って垂下した一対のラダーテープ５２を含んでいる。一対のラダーテープ５２は、スラット４０の配列方向ｄ３及び長手方向ｄ４の両方に直交する方向から各スラット４０を挟むようにして配置されている。一対のラダーテープ５２は、駆動手段６０の駆動によって、互いに逆向きに昇降する。
【００３７】
また、一対のラダーテープ５２に、複数のラダー掛具５３が掛け渡されている。各ラダー掛具５３は、対応するスラット４０を下方から支える。このため、ラダーテープ５２の傾きに合わせてスラット４０が傾く。図３に示す例では、一対のラダーテープ５２が互いに逆向きに昇降するのに連動して、ラダー掛具５３の一対の端部も逆向きに昇降する。この結果、ラダー掛具５３の水平方向に対する傾きが変化し、これに連動して、各スラット４０も、水平方向に対する傾きも変化する。
【００３８】
次に、ラダーコード５２を駆動させる駆動手段６０について、図４及び図５も参照して説明する。図４は、図１に示す矢印Ａからブラインド４をみたときの側面図である。図４に示すように、駆動手段６０の構成要素を収容するケース６１の側面６１ａに操作要素６２が配置されている。すなわち、操作要素６２は、スラット４０の長手方向ｄ４におけるケーシング６６の端面６１ａに配置されている。この操作要素６２は、利用者が手で操作した移動量に応じてスラット４０の向きを変更するように機能する。本実施の形態の操作要素６２は、自身の回転量に応じてスラット４０の向きを操作可能なツマミとして構成されている。
【００３９】
図４に示す例では、操作要素６２の表面及びケース６１の側面６１ａに渡って、知覚手段７０がさらに設けられている。知覚手段７０は、光偏向パネル２への光Ｌ２１〜Ｌ２３の入射角度θ１〜θ３に応じて駆動手段６０を操作すべき情報を知らせるためのものである。本実施の形態の知覚手段７０は、光偏向パネル２への光Ｌ２１〜Ｌ２３の入射角度θ１〜θ３に応じた操作要素６２の移動量に関する情報を知らせるようになっている。
【００４０】
本実施の形態において、知覚手段７０は、操作要素６２を複数の調整位置Ｐ１〜Ｐ４（図６Ａ〜図９Ａ参照）まで移動させるためのマーク７１を含んでいる。マーク７１は、操作要素６２の表面に、操作要素６２の移動方向ｄ５に沿って間隔を空けて印された複数のマーク要素７１ａ〜ｄと、ケース６１の側面６１ａに印された基準マーク７１ｅと、を含んでいる。上述のように、操作要素６２は自転するようになっていることから、操作要素６２の移動方向ｄ５は、回転方向となる。
【００４１】
とりわけ、図４に示す例では、一のマーク要素７１ａは、朝や夕方のような、光偏向パネル２への光の入射角度が小さいときに用いられ、二のマーク要素７１ｂは、真昼のような、光偏向パネル２への光の入射角度が極めて大きいときに用いられ、三のマーク要素７１ｃは、真昼を除いた日中のような、光偏向パネル２への光の入射角度がある程度大きいときに用いられる。一方、四のマーク要素７１ｄは、光偏向パネル２からの光を遮光するときに用いられる。図示する例では、季節や時間帯に合わせて操作要素６２を操作して、適切なマーク要素７１ａ〜ｄと基準マーク７１ｅとを合わせることで、効率よく採光することができるようになっている。
【００４２】
さて、図４に示す操作要素６２は、ケース６１内に収容された連結シャフト６３の一端部に接続されている。連結シャフト６３の他端は、図３に示すシーブ６４に連結されている。シーブ６４には、ラダーコード５１が掛け渡されている。したがって、操作要素６２を手で回転させると、連結シャフト６３と共にシーブ６４も連動して回転し、シーブ６４に掛け渡されたラダーコード５２を昇降させることができる。
【００４３】
図５に、シーブ６４と操作要素６２との間となる位置での連結シャフト６３の断面を示す。図５に示す断面において、連結シャフト６３は、中空のリングギア６５を貫通し、その外周に当該中空のリングギア６５が固定されている。リングギア６５は、周方向に並べられた複数の歯６５ａを含んでいる。隣り合う２つの歯６５ａの間には、凹部６５ｂが形成されている。そして、このリングギア６５は、ケース６１に固定されたストッパ６６に係合する。具体的には、ストッパ６６は、リングギア６５の隣り合う２つの歯６５ａの間の凹部６５ｂに収容されるようになっていて、各凹部６５ｂ内でリングギア６５の回転状態を保持するようになっている。ただし、ストッパ６６は、柔軟性をもつ材料から構成される。したがって、リングギア６５にある程度のトルクを加えると、ストッパ６６を収容した凹部６５ｂに隣り合う歯６５ａがストッパ６６を越え、リングギア６５を回転させることができるようになっている。
【００４４】
なお、図３乃至図５を参照して説明したケース６１と、操作要素６２と、連結シャフト６３と、シーブ６４と、リングギア６５と、ストッパ６６と、によって、駆動手段６０が構成される。
【００４５】
次に、以上のような構成からなる光制御具１の作用について図６Ａ〜図９Ｃを参照して説明する。図６Ａ〜図９Ｃは、操作要素６２を各調整位置Ｐ１〜Ｐ４に合わせたときの状態を示す図である。
【００４６】
先ず、冬季及び朝や夕方の時間帯においては、図６Ａに示すように、操作要素６２を移動方向ｄ５に沿って回転させて、朝夕用の一のマーク要素７１ａを基準マーク７１ｅに合わせる。このときの操作要素６２の位置を朝夕用の調整位置Ｐ１と呼ぶ。一のマーク要素７１ａを基準マーク７１ｅに合わせると、図６Ｂに示すように、操作要素６２に連動して回転するリングギア６５の凹部６５ｂにストッパ６６が収容される。したがって、リングギア６５と共に回転する操作要素６２は、朝夕用の調整位置Ｐ１にて保持される。また、操作要素６２が朝夕用の調整位置Ｐ１に移動すると、一対のラダーテープ５２が昇降して、スラット４０が屋外Ｓ１側から屋内Ｓ２側に向かって水平方向に対して下方に傾斜するように、向きを変化させる。
【００４７】
周知の通り、冬季及び朝や夕方の時間帯においては太陽の高度は比較的低い。このため、太陽光Ｌ６１、Ｌ６２は、光偏向パネル２への入射角度θが比較的小さい方向から光偏向パネル２に入射する。図６Ｃに示すように、光偏向パネル２に入射した太陽光Ｌ６１、Ｌ６２の多くは、反射機能面２５に入射することなく進行方向を維持したままで偏向シート２０を透過する。したがって、光偏向パネル２に入射した太陽光Ｌ６１、Ｌ６２の多くは、水平方向に対して下方に傾斜した方向に向かって光偏向パネル２を出射していく。
【００４８】
上述のように、スラット４０も水平方向に対して下方に傾斜するように向きを変化させられているため、光偏向パネル２を透過した光Ｌ６１、Ｌ６２の多くは、隣り合うスラット４０の間を通過して屋内Ｓ２に採り込まれる。
【００４９】
次に、夏季の真昼の時間帯においては、図７Ａに示すように、操作要素６２を移動方向ｄ５に沿って回転させて、真昼用の二のマーク要素７１ｂを基準マーク７１ｅに合わせる。このときの操作要素６２の位置を真昼用の調整位置Ｐ２と呼ぶ。二のマーク要素７１ｂを基準マーク７１ｅに合わせると、図７Ｂに示すように、リングギア６５の別の凹部６５ｂにストッパ６６が収容され、操作要素６２は、真昼用の調整位置Ｐ２にて保持される。また、操作要素６２が真昼用の調整位置Ｐ２に移動すると、一対のラダーテープ５２が昇降して、スラット４０が概ね水平方向と沿うように、向きを変化させる。
【００５０】
周知の通り、夏季の真昼の時間帯においては太陽の高度は極めて高い。このため、太陽光Ｌ７１、Ｌ７２は、光偏向パネル２への入射角度θが極めて大きい方向から光偏向パネル２に入射する。図７Ｃに示すように、光偏向パネル２に入射した太陽光Ｌ７１、Ｌ７２の多くは、反射機能面２５の入光側の部分２５ａにて反射する。図示する例では、反射機能面２５の入光側の部分２５ａにて反射した光Ｌ７１、Ｌ７２は、概ね水平方向に向かって光偏向パネル２を出射していく。
【００５１】
上述のように、スラット４０も水平方向と沿うように向きを変化させられているため、光偏向パネル２を透過した光Ｌ７１、Ｌ７２の多くは、隣り合うスラット４０の間を通過して屋内Ｓ２に採り込まれる。
【００５２】
また、夏季の真昼を除いた日中の時間帯においては、図８Ａに示すように、操作要素６２を移動方向ｄ５に沿って回転させて、日中用の三のマーク要素７１ｃを基準マーク７１ｅに合わせる。このときの操作要素６２の位置を日中用の調整位置Ｐ３と呼ぶ。三のマーク要素７１ｃを基準マーク７１ｅに合わせると、図８Ｂに示すように、リングギア６５のさらに別の凹部６５ｂにストッパ６６が収容され、操作要素６２は、日中用の調整位置Ｐ３にて保持される。また、操作要素６２が日中用の調整位置Ｐ３に移動すると、一対のラダーテープ５２が昇降して、スラット４０が屋外Ｓ１側から屋内Ｓ２側に向かって水平方向に対して上方に傾斜するように、向きを変化させる。
【００５３】
周知の通り、夏季の真昼の時間帯においては太陽の高度は比較的高い。このため、太陽光Ｌ８１、Ｌ８２は、光偏向パネル２への入射角度θがある程度大きい方向から光偏向パネル２に入射する。図８Ｃに示すように、光偏向パネル２に入射した太陽光Ｌ８１、Ｌ８２の多くは、反射機能面２５の出光側の部分２５ｂにて反射する。図示する例では、反射機能面２５の出光側の部分２５ｂにて反射した光Ｌ８１、Ｌ８２は、水平方向に対して上方に傾斜した方向に向かって光偏向パネル２を出射していく。
【００５４】
上述のように、スラット４０も水平方向に対して上方に傾斜するように向きを変化させられているため、光偏向パネル２を透過した光Ｌ８１、Ｌ８２の多くは、隣り合うスラット４０の間を通過して屋内Ｓ２に採り込まれる。
【００５５】
一方、光偏向パネル２からの光Ｌ９１、Ｌ９２を遮光したい場合には、図９Ａに示すように、操作要素６２を移動方向ｄ５に沿って回転させて、遮光用の四のマーク要素７１ｄを基準マーク７１ｅに合わせる。このときの操作要素６２の位置を遮光用の調整位置Ｐ４と呼ぶ。四のマーク要素７１ｄを基準マーク７１ｅに合わせると、図９Ｂに示すように、リングギア６５のさらに別の凹部６５ｂにストッパ６６が収容され、操作要素６２は、遮光用の調整位置Ｐ４にて保持される。また、操作要素６２が遮光用の調整位置Ｐ４に移動すると、一対のラダーテープ５２が昇降して、スラット４０が屋外Ｓ１側から屋内Ｓ２側に向かって水平方向に対して大きく上方に傾斜するように、向きを変化させる。これにより、各スラット４０が閉じた状態となり、隣り合う２つのスラット４０の間を光偏向パネル２を透過した光Ｌ９１、Ｌ９２が通過することができず遮光される。
【００５６】
以上のように、本実施の形態によれば、入射角度θに応じて進行方向を変更して光Ｌ２１〜Ｌ２３を透過させる光偏向部材としての光偏向パネル２と、光偏向パネル２に対向して配置されたブラインド４と、を備え、ブラインド４は、光偏向パネル２のパネル面に沿った配列方向ｄ１に配列された複数のスラット４０と、スラット４０の向きを変更可能に支持して、光偏向パネル２にて進行方向を調整された光Ｌ２１〜Ｌ２３を隣り合うスラット４０の間に選択的に通過させる支持手段５０と、利用者からの操作により支持手段５０を駆動させる駆動手段６０と、を有し、光偏向パネル２への光Ｌ２１〜Ｌ２３の入射角度θ１〜θ３に応じて駆動手段６０を操作すべき情報を知らせる知覚手段７０が設けられている。言い換えると、知覚手段７０は、光偏向パネル２への光Ｌ２１〜Ｌ２３の入射角度θ１〜θ３に応じてスラット４０の向きを合わせるために、光偏向パネル２への光Ｌ２１〜Ｌ２３の入射角度θ１〜θ３に応じた駆動手段６０の操作に関する情報を知らせる。このような形態によれば、光偏向パネル２への光Ｌ２１〜Ｌ２３の入射角度θ１〜θ３に応じて駆動手段６０を操作すべき情報を、知覚手段７０から得ることができるため、光偏向パネル２への入射角度θ１〜θ３が変化しても、スラット４０の向きを容易に調整することが可能となる。
【００５７】
また、本実施の形態によれば、駆動手段６０は、自身の移動量に応じてスラット４０の向きを操作する操作要素６２を含み、知覚手段７０は、光偏向パネル２への光Ｌ２１〜Ｌ２３の入射角度θ１〜θ３に応じて操作要素６２を移動させるべき情報を知らせるようになっている。このような形態によれば、利用者が実際に操作する操作要素６２を移動させるべき情報を知覚手段７０から得ることができるため、光偏向パネル２への光Ｌ２１〜Ｌ２３の入射角度θ１〜θ３が変化しても、スラット４０の向きをさらに容易に調整することが可能となる。
【００５８】
また、本実施の形態によれば、操作要素６２は、各調整位置Ｐ１〜Ｐ４にて保持されるようになっていて、知覚手段７０は、操作要素６２を各調整位置Ｐ１〜Ｐ４まで移動させるためのマーク７１を含んでいる。この場合、操作要素６２をマーク７１に合わせて各調整位置Ｐ１〜Ｐ４まで移動させると、操作要素６２が、当該調整位置Ｐ１〜Ｐ４にて保持される。このため、光偏向パネル２への入射角度θ１〜θ３に合わせて調整したスラット４０の向きで、位置決めを行うことも可能となる。
【００５９】
また、本実施の形態によれば、マーク７１は、操作要素６２の移動方向ｄ５に沿って間隔を空けて配置された複数のマーク要素７１ａ〜ｄを含んでいる。この場合、操作要素６２を移動方向ｄ５に沿って移動させるだけで、各マーク要素７１ａ〜ｄを合わせることができるため、操作性に優れる。
【００６０】
≪変形例≫        
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６１】
上述した実施の形態では、図４に示すように、知覚手段７０がマーク要素７１ａ〜ｄと基準マーク７１ｅとを含む例を示したが、知覚手段７０の構成は、上述した構成に限定されない。図１０に、知覚手段７０の他の構成例を示す。図１０に示す例では、知覚手段７０は、光偏向パネル２への光Ｌ２１〜Ｌ２３の入射角度θ１〜θ３に応じて操作要素６２を移動させるべき情報を音で知らせるようになっている。具体的には、知覚手段７０は、リングギア６５の歯６５ａが測定地点を通過すると、その情報を検知して音を発するようになっている。
【００６２】
図１０に示す形態であっても、知覚手段７０が、光偏向パネル２への光Ｌ２１〜Ｌ２３の入射角度θ１〜θ３に応じて駆動手段６０を操作すべき情報を知らせることができる。したがって、光偏向パネル２への入射角度θに応じて駆動手段６０を操作すべき情報を、知覚手段７０から得ることができるため、光偏向パネル２への入射角度θ１〜θ３が変化しても、スラット４０の向きを容易に調整することが可能となる。
【００６３】
また、上述した実施の形態では、図４に示すように、操作要素６２が、自身の回転量に応じてスラット４０の向きを操作可能なツマミからなる例を示したが、操作要素６２の構成は、上述した構成に限定されない。図１１に、操作要素６２の他の構成例を示す。図１１に示す例では、操作要素６２は、ラダーコード５１に連結された操作グリップからなる。操作グリップからなる操作要素６２は、当該操作要素６２を鉛直方向に延びる回転軸Ｒを中心として回転させることで、一対のラダーテープ５２を昇降させて各スラット４０の向きを変更するようになっている。このような操作グリップを含むブラインド４の構成は、市場で入手可能なブラインドに採用されているため、ここではこれ以上の詳細な説明を省略する。
【００６４】
図１２に、操作グリップからなる操作要素６２を拡大して示す。図１２に示すように、操作要素６２に、操作要素６２の移動方向ｄ５に沿って間隔を空けて複数のマーク要素７１ａ〜ｂが配置されている。例えば、一のマーク要素７１ａは、朝や夕方のような、光偏向パネル２への光の入射角度θが小さいときに用いられ、二のマーク要素７１ｂは、日中のような、光偏向パネル２への光の入射角度θが大きいときに用いられる。
【００６５】
図１１及び図１２に示す形態であっても、複数のマーク要素７１ａ〜ｄを含む知覚手段７０が、光偏向パネル２への光Ｌ２１〜Ｌ２３の入射角度θ１〜θ３に応じて駆動手段６０を操作すべき情報を知らせることができる。したがって、光偏向パネル２への光Ｌ２１〜Ｌ２３の入射角度θ１〜θ３に応じて駆動手段６０を操作すべき情報を、知覚手段７０から得ることができるため、光偏向パネル２への入射角度θ１〜θ３が変化しても、スラット４０の向きを容易に調整することが可能となる。
【００６６】
また、上述した実施の形態では、図４に示すように、知覚手段７０が、操作要素６２の表面に印されたマーク７１からなる例を示したが、知覚手段７０の構成は、上述した構成に限定されない。図１３及び図１４に、知覚手段７０の他の構成例を示す。図１３及び図１４に示す例では、ブラインド４は、スラット４０の長手方向ｄ４における端部付近に、スラット４０の配列方向ｄ２に沿って延びる一対の保護バー６７をさらに有している。一対の保護バー６７は、スラット４０の配列方向ｄ２及び長手方向ｄ４の両方に直交する方向から、各スラット４０を挟むようにして配置されている。保護バー６７には、知覚手段７０としてのマーク７２が印されている。
【００６７】
図１４に示すように、マーク７２は、スラット４０の長手方向ｄ４からみたときに、当該スラット４０が設定されるべき配置を示す。図１４に示すマーク７２は、保護バー６７に印された複数のケガキ線７２ａ〜ｃからなる。各ケガキ線７２ａ〜ｃは、光偏向パネル２への光Ｌ２１〜Ｌ２３の入射角度θ１〜θ３に応じて、スラット４０が示すべき傾斜角度αに合わせて、けがかれている。具体的には、一のケガキ線７２ａは、朝や夕方のような、光偏向パネル２への光の入射角度θ１〜θ３が小さいときに用いられ、二のケガキ線７２ｂは、真昼のような、光偏向パネル２への光の入射角度θが極めて大きいときに用いられ、三のケガキ線７２ｃは、真昼を除いた日中のような、光偏向パネル２への光の入射角度θがある程度大きいときに用いられる。
【００６８】
また、図１４に示す光制御具１は、スラット４０の向きを取得して表示する向き表示手段８０をさらに備える。図１４に示す例では、向き表示手段８０は、スラット４０の屋内Ｓ２側の部分の位置を取得するセンサ８１と、センサ８１にて取得された情報からスラット４０の水平方向に対する傾斜角度αを演算して表示するディスプレイ８２と、を含んでいる。図１４に示す例では、センサ８１は、スラット４０の屋内Ｓ２側の部分の位置との距離を計測するそれ自体既知の距離センサからなる。センサ８１は、ケース６１に固定されている。一方、ディスプレイ８２は、ケガキ線７２ａ〜ｃが設けられた位置付近の保護バー６７に取り付けられている。なお、スラット４０の水平方向に対する傾斜角度αとは、スラット４０の屋外Ｓ１側を向く表面４０ａが水平方向に対してなす２つの角度のうちの劣角をいう。
【００６９】
図１３及び図１４に示す形態であっても、知覚手段７０が、光偏向パネル２への光Ｌ２１〜Ｌ２３の入射角度θ１〜θ３に応じて駆動手段６０を操作すべき情報を知らせることができる。したがって、光偏向パネル２への光Ｌ２１〜Ｌ２３の入射角度θ１〜θ３に応じて駆動手段６０を操作すべき情報を、知覚手段７０から得ることができるため、光偏向パネル２への入射角度θ１〜θ３が変化しても、スラット４０の向きを容易に調整することが可能となる。
【００７０】
また、図１３及び図１４に示す形態によれば、スラット４０の向きを取得して表示する向き表示手段８０をさらに備える。この場合、スラット４０の向きを実際に知ることができるため、光偏向パネル２への光Ｌ２１〜Ｌ２３の入射角度θに応じてスラット４０の向きをより精度良く合わせることが可能となる。
【００７１】
上述した実施の形態では、図２に示すように、光偏向パネル２が単一の透明窓材３１を
含む例を示したが、光偏向パネル２の構成は、上述した例に限定されない。図１５に、光偏向パネル２の他の構成例を示す。図１５に示す例では、光偏向パネル２は、いわゆる合わせガラスにて構成されている。図１５に示す光偏向パネル２は、一対の透明窓材３１と、当該一対の透明窓材３１の間に配置された偏向シート２０と、を含んでいる。偏向シート２０は、各透明窓材３１と接合層３２を介して接合されている。
【００７２】
また、上述した実施の形態では、図２に示すように、偏向シート２０において、第１領域２１と第２領域２２との境界に、屈折率差をもつ反射機能面２５が形成された例を示したが、光偏向パネル２の構成は、上述した例に限定されない。図１６に、光偏向パネル２の他の構成例を示す。図１６に示す例では、偏向シート２０は、シート状の本体部２６と、本体部２６上に配列された多数の単位プリズム２７と、を有しており、本体部２６及び単位プリズム２７は、光が透過可能となるよう透明に形成されている。また図１６に示された例において、単位プリズム２７は、鉛直方向に平行な配列方向ｄ３に配列され、配列方向ｄ３に直交する長手方向ｄ４に沿って延びる。
【００７３】
単位プリズム２７は、配列方向ｄ３に対向して配置された第１面２７ａ及び第２面２７ｂと、を有している。この偏向シート２０では、第１面２７ａ及び第２面２７ｂの一方から単位プリズム２７に入射した光Ｌ１６１、Ｌ１６２を、当該単位プリズム２７の第１面２７ａ及び第２面２７ｂの他方で反射、とりわけ全反射することにより、太陽光の進行方向を変化させ且つ当該太陽光が光偏向パネル２を透過することを可能にする。
【００７４】
なお、本明細書における「単位プリズム」とは、屈折や反射等の光学的作用を光に及ぼして、当該光の進行方向を変化させる機能を有する要素のことを指し、「単位形状要素」、「単位光学要素」および「単位レンズ」といった要素と呼称の違いのみに基づいて区別されるものではない。同様に、「プリズム」、「レンズ」及び「光学要素」は、呼称の違いのみに基づいて、互いから区別されるものではない。そして、偏向シート２０に用いられる単位プリズム２７の形状は、図１６に示されたものに限られず、種々の構成の単位プリズムを用いることができる。
【００７５】
なお、以上において上述した一実施の形態に対するいくつかの変形例を説明してきたが、当然に、複数の変形例を適宜組み合わせて適用することも可能である。例えば、図１４に示す向き表示手段８０を、図１、図１０、図１１或いは図１２に示す形態に適用してもよい。
【符号の説明】
【００７６】
１    光制御具
２    光偏向部材（光偏向パネル）
４    ブラインド
２０  偏向シート
２５  反射機能面
４０  スラット
５０  支持手段
５１  ラダーコード
５２  ラダーテープ
５３  ラダー掛具
６０  駆動手段
６１  ケース
６２  操作要素
６５  リングギア
６６  ストッパ
６７  保護バー
７０  知覚手段
７１、７２  マーク
７１  マーク要素７１ａ〜ｄ
７１  基準マーク７１ｅ
８０  向き表示手段８０
１００  建物
１０１  壁
１０２  開口部
【図１】
0006414433.tif 000002
【図２】
0006414433.tif 000003
【図３】
0006414433.tif 000004
【図４】
0006414433.tif 000005
【図５】
0006414433.tif 000006
【図６Ａ】
0006414433.tif 000007
【図６Ｂ】
0006414433.tif 000008
【図６Ｃ】
0006414433.tif 000009
【図７Ａ】
0006414433.tif 000010
【図７Ｂ】
0006414433.tif 000011
【図７Ｃ】
0006414433.tif 000012
【図８Ａ】
0006414433.tif 000013
【図８Ｂ】
0006414433.tif 000014
【図８Ｃ】
0006414433.tif 000015
【図９Ａ】
0006414433.tif 000016
【図９Ｂ】
0006414433.tif 000017
【図９Ｃ】
0006414433.tif 000018
【図１０】
0006414433.tif 000019
【図１１】
0006414433.tif 000020
【図１２】
0006414433.tif 000021
【図１３】
0006414433.tif 000022
【図１４】
0006414433.tif 000023
【図１５】
0006414433.tif 000024
【図１６】
0006414433.tif 000025